【事件の表示】
　特願２０１４−３６０３０号「遊技機」拒絶査定不服審判事件〔平成２７年９月７日出願公開、特開２０１５−１５９９１１号〕について、次のとおり審決する。
【結　論】
　本件審判の請求は、成り立たない。
【理　由】
第１　手続の経緯　
　本願は、平成２６年２月２６日の出願であって、平成２９年１１月１０日付けで拒絶の理由が通知され、平成３０年１月１２日に意見書及び手続補正書が提出されたところ、同年６月５日付けで拒絶査定がなされ、それに対して、同年１０月２日に拒絶査定不服審判の請求がなされると同時に手続補正がなされたものである。
第２　平成３０年１０月２日付けの手続補正についての補正の却下の決定　
［補正の却下の決定の結論］　
　平成３０年１０月２日付けの手続補正（以下「本件補正」という。）を却下する。　
［理由］　
１　本件補正について（補正の内容）　
　本件補正は特許請求の範囲の請求項１の記載の補正を含むものであり、本件補正前の平成３０年１月１２日にされた手続補正の特許請求の範囲の請求項１の記載と本件補正後の特許請求の範囲の請求項１の記載は、それぞれ以下のとおりである（下線部は補正箇所を示す。また、Ａ〜Ｋについては発明を分説するため当審で付与した。）。　
（本件補正前）　
「【請求項１】
Ａ　遊技機を構成する複数の電気部品と、
Ｂ　前記電気部品を利用して遊技機にて所定の動作を行わせる所定制御手段と、
Ｃ　を備えた遊技機において、
Ｄ　異常事象の発生を検知する異常検知手段と、
Ｅ　前記電気部品に対応させて設けられ、固有のアドレスを有する複数の通信手段と、
　を備え、
Ｆ　前記所定制御手段は、
Ｆ１　前記複数の通信手段のうち通信対象となる通信手段に対応する所定データを設定する設定手段と、
Ｆ２　当該設定手段により設定された所定データに基づき、前記複数の通信手段にアドレスデータを送信するアドレス送信手段と、
Ｆ３　当該アドレス送信手段により前記アドレスデータが送信された後に、通信対象の通信手段に対応するデータの送信及び通信対象の通信手段からのデータの受信のうち少なくとも一方である送信後処理を実行する送信後手段と、
を備え、
Ｊ　前記異常検知手段の検知信号は、プログラムを利用した処理を実行する他の制御手段を介することなく前記所定制御手段に入力される構成であり、
Ｋ　前記異常検知手段の検知信号は、前記複数の通信手段と前記所定制御手段との間の通信経路とは別の通信経路であって前記異常検知手段の検知信号以外の信号が送信されない通信経路を通じて前記所定制御手段に入力される
　ことを特徴とする遊技機。」
（本件補正後）
「【請求項１】
Ａ　遊技機を構成する複数の電気部品と、
Ｂ　前記電気部品を利用して遊技機にて所定の動作を行わせる所定制御手段と、
Ｃ　を備えた遊技機において、
Ｄ　異常事象の発生を検知する異常検知手段と、
Ｅ　前記電気部品に対応させて設けられ、固有のアドレスを有する複数の通信手段と、
　を備え、
Ｆ　前記所定制御手段は、
Ｆ１　前記複数の通信手段のうち通信対象となる通信手段に対応する所定データを設定する設定手段と、
Ｆ２　当該設定手段により設定された所定データに基づき、前記複数の通信手段にアドレスデータを送信するアドレス送信手段と、
Ｆ３　当該アドレス送信手段により前記アドレスデータが送信された後に、通信対象の通信手段に対応するデータの送信及び通信対象の通信手段からのデータの受信のうち少なくとも一方である送信後処理を実行する送信後手段と、
　を備え、
Ｇ　
前記複数の電気部品には、前記異常事象とは異なる所定事象の発生を検知する所定検知手段が含まれており、
Ｈ　
前記複数の通信手段には、前記所定検知手段に対応させて設けられた所定通信手段が含まれており、
Ｉ　
前記送信後手段は、前記通信対象の通信手段が前記所定通信手段である場合、前記送信後処理として、前記所定検知手段の検知結果に対応するデータを前記所定通信手段から受信するための処理を実行するものであり、
Ｊ　前記異常検知手段の検知信号は、プログラムを利用した処理を実行する他の制御手段を介することなく前記所定制御手段に入力される構成であり、
Ｋ　前記異常検知手段の検知信号は、前記複数の通信手段と前記所定制御手段との間の通信経路とは別の通信経路であって前記異常検知手段の検知信号以外の信号が送信されない通信経路を通じて前記所定制御手段に入力される
　ことを特徴とする遊技機。」　
２　補正の適否　　　
　本件補正は、補正前の請求項１に記載された発明特定事項である「複数の電機部品」について、「Ｇ　前記複数の電気部品には、前記異常事象とは異なる所定事象の発生を検知する所定検知手段が含まれて」いることを付加して限定し、補正前の同発明特定事項である「複数の通信手段」について、「Ｈ　前記複数の通信手段には、前記所定検知手段に対応させて設けられた所定通信手段が含まれて」いることを付加して限定し、補正前の同発明特定事項である「送信後手段」について、「Ｉ　前記送信後手段は、前記通信対象の通信手段が前記所定通信手段である場合、前記送信後処理として、前記所定検知手段の検知結果に対応するデータを前記所定通信手段から受信するための処理を実行するものであ」ることを付加して限定する補正を含むものである。
　そして、補正前の請求項１に記載された発明と補正後の請求項１に記載される発明とは、産業上の利用分野及び解決しようとする課題が同一である。
　そうすると、本件補正は、特許法第１７条の２第５項第２号に規定する「特許請求の範囲の減縮」を目的とするものに該当する。
　また、本件補正は、本願の願書に最初に添付した明細書の段落【０３００】、【０３０１】、【０３０５】及び【０３２０】〜【０３２７】の記載に基づいており、新規事項を追加するものではないから、特許法第１７条の２第３項に規定する要件を満たす。
　そこで、本件補正後の請求項１に記載されている事項により特定される発明（以下「本願補正発明」という。）が特許法第１７条の２第６項において準用する同法第１２６条第７項の規定に適合するか（特許出願の際独立して特許を受けることができるものであるか）について、以下、検討する。　
（１）本願補正発明　
　本願補正発明は、前記１（本件補正後）に記載したとおりのものである。
（２）引用文献に記載された事項　
　原査定の拒絶の理由で引用された本願の出願前に頒布された又は電気通信回線を通じて公衆に利用可能となった文献である特開２０１３−１２８５４６号公報（以下「引用文献１」という。）には、図面と共に次の事項が記載されている（下線は当審で付した。）。　
「【０００２】
　遊技盤に形成された遊技領域における遊技の進行を制御する遊技制御手段と遊技盤に設けられた液晶ディスプレイのような画像表示装置（変動表示装置）の表示制御を行う表示制御手段とを備えた遊技機が知られている。
　この遊技機において、遊技制御装置から画像表示装置の表示制御を行う演出制御装置へ指示を与えることで、画像表示装置上に形成される複数の変動表示領域に識別情報を変動表示させ、
演出制御装置
遊技の状況に合わせて、各種ランプやＬＥＤ等で構成される装飾装置を作動させる
装飾制御装置に装飾制御データを出力して、装飾制御装置を制御
「【００１７】
≪実施形態１≫
　以下、図１から図１１までを参照しつつ、本発明の実施形態１に係る遊技機について説明する。　　図１は、実施形態１の
遊技機１０
　実施形態１の遊技機１０は、本体枠（外枠）１１及び前面枠（内枠）１２を備え、該前面枠１２は本体枠１１にヒンジ１３を介して開閉回動可能に組み付けられている。遊技盤３０（図２参照）は前面枠１２の表側に形成された収納部（図示省略）に収納されている。また、前面枠１２には、遊技盤３０の前面を覆うカバーガラス（透明部材）１４を備えたガラス枠１５が取り付けられている。
【００１８】
　また、ガラス枠１５の上部には、内部にランプ及びモータを内蔵した照明装置（ムービングライト）１６や払出異常報知用のランプ（ＬＥＤ）１７が設けられている。また、ガラス枠１５の左右には
内部にランプ等を内蔵し装飾や演出のための発光をする
装飾装置１８
　また、前面枠１２の下部には、図示しない打球発射装置に遊技球を供給する上皿２１、遊技機１０の裏面側に設けられている球払出装置から払い出された遊技球が流出する上皿球出口２２、上皿２１が一杯になった状態で払い出された遊技球を貯留する下皿２３及び打球発射装置の操作部２４等が設けられている。さらに、上皿２１の上縁部には、
遊技者からの操作入力を受け付けるための操作スイッチを内蔵した演出ボタン２５
【００１９】
　この実施形態１の遊技機１０においては、遊技者が上記操作部２４を回動操作することによって、打球発射装置が、上皿２１から供給される遊技球を遊技盤３０前面の遊技領域３２（図２参照）に向かって発射する。また、
遊技者が演出ボタン２５を操作することによって、表示装置４１
における変動表示ゲーム
において、遊技者の操作を介入させた演出等を行わせる
「【００４０】
　図３は、本実施形態１のパチンコ遊技機１０の制御システムのブロック図である。
　遊技機１０は遊技制御装置１００を備える。
遊技制御装置１００
入力部１２０
「【００５３】
　また、
入力部１２０
不正検出用の磁気センサスイッチ６１及び振動センサスイッチ６２
信号
を取り込んで
「【００６４】
≪演出制御装置の構成≫
　次に、図４を用いて、演出制御装置３００の構成について説明する。
　
演出制御装置３００
表示制御を行う
表示装置４１
　なお、図４において、演出制御装置３００を矩形で囲っている部分は、装置全体として一つの筐体に納められており、不正行為（不正を行う遊技者がひそかに店内に持ち込む程度の短絡目的の器具）からその内部が保護されている。
【００６５】
　上記制御用マイコン（ＣＰＵ）３１１には、ＣＰＵが実行するプログラムを格納したＰＲＯＭ（プログラマブルリードオンリメモリ）からなる制御ＲＯＭ３２１がデータバス３４０を介して接続される。ＶＤＰ３１３にはキャラクタ画像や映像データが記憶された画像ＲＯＭ３２３が接続される。音源ＬＳＩ３１４には音声データが記憶された音ＲＯＭ３２４が接続されている。制御用マイコン（ＣＰＵ）３１１は、遊技用マイコン１１１からのコマンドを解析し、演出内容を決定してＶＤＰ３１３へ出力映像の描画を指示する。また、制御用マイコン（ＣＰＵ）３１１は、データバス３４０及び後述する第３マスタＩＣ３５３を介して音源ＬＳＩ３１４への再生音の指示を与える。さらに、制御用マイコン（
ＣＰＵ
３１１
第１マスタＩＣ３５１、
第２マスタＩＣ３５２
を介して、遊技盤３０、前面枠１２にある装飾制御装置に指示を与え、装飾ランプの点灯、モータの駆動制御、演出時間の管理などの処理を実行する
「【００７６】
≪演出制御装置と遊技盤との接続≫
　図５は、実施形態１における演出制御装置３００と
遊技盤３０
・・・
【００７７】
　上述のコマンドレジスタ５５５が保持する４つのビットの意味を説明する。ＳＴＡは、マスタＩＣがスタート条件の出力を指示するためのビットである。ＳＴＯは、マスタＩＣがストップ条件の出力を指示するためのビットである。ＳＩは、マスタＩＣから演出制御装置に割込みを発生させるときに設定されるビットである。ＭＯＤＥは、データを送信するモードを指定するビットである。
　データを送信するモードには、バッファモードとバイトモードとが含まれる。バッファモードは連続する複数バイトのデータを一度にまとめて送信するモードである。最大６８バイトのデータの送信が可能である。装飾データ（当審注：「装飾データ」は段落【０００２】の「
装飾制御データ
送信の途中においてデータの内容が損なわれたとしてもさほど問題が大きくないもの
　バイトモードは、１回の送信で１バイト（８ビット）のデータだけが送信可能なモードである。初期化信号などの重要な送信についてはバイトモードが用いられる。
　バッファモードもバイトモードも８ビットごとに受信側からＡＣＫ信号を返すことにおいて共通である。バイトモードでは、ＡＣＫ信号を受けるたびにＣＰＵ３１１へ割込みをかける。バッファモードでは、ＡＣＫ信号を受信できているうちはＣＰＵ３１１への割込み信号をその都度送ることはしないで、ＡＣＫ信号が返ってこない場合のみＣＰＵ３１１への割込み信号を送るようになっている。
・・・
【００７９】
　スレーブ側について次に説明する。図５で
第１マスタＩＣ３５１の制御下にあるスレーブ機器は、中継基板６７０、装飾制御装置６１４
中継基板（装飾制御装置）６７０
中継基板
それ自体の中に装飾制御装置の構成を備えたもの
役物駆動モータ駆動回路６２１とモータ位置検出センサ６２３とは、第１マスタＩＣ３５１のスレーブ機器ではない
【００８０】
　中継基板６７０は、第１マスタＩＣ３５１と他のスレーブとのやり取りを中継する基板である。必要な電源をそれぞれのスレーブに供給するとともに、
第１マスタＩＣ３５１
通信を開始したときに
アドレス
を
すべての他のスレーブに引渡す
中継基板６７０
次のデータのやりとりをする
　Ｉ２Ｃ通信についての詳細は、図１０と図１１のタイムチャートを参照しつつ後述するが、おおまかにはマスタとスレーブとの間でこのようなやりとりがなされることで通信が開始される。
装飾制御装置６１４は、図７に示す装飾制御装置５１４ともほぼ同じ構成である
【００８１】
　
役物駆動モータ駆動回路６２１は、ＣＰＵ３１１からバス３４０、出力インタフェース回路３７１、ドライバ３８１、中継基板６７０を介して送られる役物駆動モータのための情報を受け取って
　
モータ位置検出センサ６２３は
検出した信号を中継基板６７０、フィルタ３８３、入力インタフェース回路３７２、バス３４０を介してＣＰＵ３１１へ入力する
「【００８４】
　
また、ＣＰＵ３１１からの照明駆動に関する情報の出力がバス３４０、出力インタフェース回路３７１、ドライバ３８２、中継基板７７０を介して照明駆動第１モータ駆動回路７２１及び照明駆動第１モータ駆動回路７２２に送られ
　そして、
モータ位置検出センサ７２３からの検出信号
は、中継基板７７０、フィルタ３８４、入力インタフェース回路３７２、バス３４０を介してＣＰＵ３１１へ入力する
【００８５】
　スピーカ１９へは、音源ＬＳＩ３１４の出力信号が中継基板７７０を素通りして入力される。スピーカ１９へそのまま入力することが適切でない場合には、中間に設けるべき回路を中継基板７７０上に設けてもよい。
　図６の構成にあっては、
前面枠１２
装飾制御装置５１４
第２マスタＩＣ３５２の制御下にあるスレーブであり
【００８６】
≪演出ボタンと装飾装置を含む装飾制御装置の構成≫
　図７は、実施形態１における装飾制御装置の構成を示すブロック図である。
Ｉ
２
Ｃ　Ｉ／Ｏエクスパンダ
Ｉ
２
Ｃ通信機能を有し、スレーブアドレスを有する
　
図７のブロック図にあっては、Ｉ
２
Ｃ　Ｉ／Ｏエクスパンダ５１４と装飾装置１８と演出ボタン２５を含む全体で装飾制御装置を構成している
「【００９０】
　それに対して、図７の場合は、ＣＰＵ３１１の１ｓｔメイン処理の演出ボタン入力処理（図１３のステップＢ１９）では、第２マスタＩＣ３５２に演出ボタン２５の操作信号の取得を指示する。第２マスタＩＣ３５２は、それを受けて
第２マスタＩＣ３５２
制御下にあるすべてのスレーブ機器に宛ててＩ
２
Ｃ通信を開始し
装飾制御装置
Ｉ
２
Ｃ　Ｉ／Ｏエクスパンダ５１４
が有するアドレスを
送り
【００９１】
　
第２マスタＩＣ３５２
演出ボタン２５の操作信号を取得する
「【００９７】
≪Ｉ２Ｃ通信についての説明≫
　以下、図１０と図１１とを参照しつつ、Ｉ２Ｃ通信について説明する。図１０は、Ｉ２Ｃ通信の一般的なタイムチャートである。図１０（ａ）は、スタート条件とストップ条件とを説明するタイムチャートであり、図１０（ｂ）は、８ビット（１バイト）のデータを転送する際にＡＣＫ信号が返される様子を示すタイムチャートである。図１１は、Ｉ２Ｃ通信によってデータを送る様子を示すタイムチャートである。
　
Ｉ
２
Ｃ通信の特徴は、第一に個々のスレーブ機器がアドレスを持っていること
「【０１０３】
≪本願の目的、課題≫
　本願の目的は、制御装置の外部から制御装置内に設けられた報知制御手段の動作を阻害するような行為を防止することにある。
　このことを、図２１を参照しつつ、説明する。図２１は、演出制御装置が外部に露出したバス（Ｉ２Ｃバス）を介して演出制御装置の外部に設けられた装飾制御装置を制御する構成を備えた遊技機の
従来例
　演出制御装置３００は、遊技制御装置１００の指示に基づいて、いくつかの演出装置を制御するものであって、ＣＰＵ３１１及びそのバス３４０に接続する回路を有している。演出装置には、遊技盤のセンターケース４０の後方に配置される表示装置４１のほか、遊技盤３０に配置される発光手段（ＬＥＤ）、前面枠１２に配置される発光手段（ＬＥＤ）、スピーカなどを含む。
【０１０４】
　図２１の遊技機の
演出制御装置は
遊技盤、前面枠
に設けられた装飾制御装置との間でＩ
２
Ｃ通信を採用している。当該通信規格にあっては、ＣＰＵ３１１のバス３４０に、マスタＩＣ
を設けて、遊技盤３０、前面枠１２の側には、Ｉ
２
Ｃ　Ｉ／Ｏエクスパンダと呼ばれるＩＣを設けて装飾制御装置を構成し、ＬＥＤ、スピーカ、役物などを制御する
Ｉ
２
Ｃ　Ｉ／ＯエクスパンダはマスタＩＣのスレーブ機器として機能する
　また、引用文献１に記載された事項から以下の事項が認定できる。
（認定事項ア）
　図５から、
遊技盤３０において、中継基板（装飾制御装置）６７０に接続する装飾装置基板６１１〜６１３及び装飾制御装置６１４内の装飾装置６１８
（認定事項イ）
　段落【０１０３】〜【０１０４】に、従来例として、演出制御装置と、遊技盤、前面枠に設けられた装飾制御装置との間でＩ２Ｃ通信を採用し、当該通信規格にあっては、ＣＰＵ３１１のバス３４０に、マスタＩＣを設けて、遊技盤３０、前面枠１２の側には、Ｉ２Ｃ　Ｉ／Ｏエクスパンダと呼ばれるＩＣを設けて装飾制御装置を構成し、ＬＥＤ、スピーカ、役物などを制御し、Ｉ２Ｃ　Ｉ／ＯエクスパンダはマスタＩＣのスレーブ機器として機能すると記載されていること、段落【００９７】に、Ｉ２Ｃ通信についての説明として、Ｉ２Ｃ通信の特徴は第一に個々のスレーブ機器がアドレスを持っていると記載されていること及び段落【００８０】に、装飾制御装置６１４は、図７に示す装飾制御装置５１４ともほぼ同じ構成であると記載されていることに鑑みれば、段落【００７９】における、
第１マスタＩＣ３５１の制御下にあるスレーブ機器である装飾制御装置の構成を備えた中継基板（装飾制御装置）６７０及び装飾制御装置６１４が、それぞれ、装飾装置基板６１１〜６１３及び装飾装置６１８に対応させてＩ
２
Ｃ通信機能を有しスレーブアドレスを有するＩ
２
Ｃ　Ｉ／Ｏエクスパンダを備える
　上記記載事項及び認定事項を総合すれば、引用文献１には以下の発明（以下、「引用発明」という。）が記載されているものと認められる（ａ〜ｋについては本願補正発明のＡ〜Ｋに対応させて付与した。）。
「ａ、ｇ　装飾装置基板６１１〜６１３、装飾装置６１８（認定事項ア）、装飾装置１８及び遊技者からの操作入力を受け付けるための操作スイッチを内蔵した演出ボタン２５（【００１８】）と、
ｂ　遊技の状況に合わせて、各種ランプやＬＥＤ等で構成される前記装飾装置基板６１１〜６１３、前記装飾装置６１８、前記装飾装置１８を作動させ（【０００２】、認定事項ア、【００１８】）、遊技者が前記演出ボタン２５を操作することによって表示装置４１における変動表示ゲームにおいて遊技者の操作を介入させた演出等を行わせる（【００１９】）演出制御装置３００（【０００２】、【００６４】）と、
ｃ　を備えた遊技機１０（【００１７】）において、
ｄ　遊技制御装置１００の入力部１２０（【００４０】）に信号が取り込まれる不正検出用の磁気センサスイッチ６１及び振動センサスイッチ６２（【００５３】）と、
ｅ、ｈ　第１マスタＩＣ３５１の制御下にあるスレーブであり（【００７９】）遊技盤３０において前記装飾装置基板６１１〜６１３に対応させて設けられる中継基板（装飾制御装置）６７０を構成するＩ２Ｃ通信機能を有しスレーブアドレスを有するＩ２Ｃ　Ｉ／Ｏエクスパンダ（認定事項ア、イ）、第１マスタＩＣ３５１の制御下にあるスレーブであり（【００７９】）遊技盤３０において装飾装置６１８に対応させて設けられる装飾制御装置６１４を構成するＩ２Ｃ通信機能を有しスレーブアドレスを有するＩ２Ｃ　Ｉ／Ｏエクスパンダ（認定事項ア、イ）、第２マスタＩＣ３５２の制御下にあるスレーブであり前面枠１２において装飾装置１８及び演出ボタン２５に対応させて設けられる装飾制御装置５１４を構成するＩ２Ｃ通信機能を有しスレーブアドレスを有するＩ２Ｃ　Ｉ／Ｏエクスパンダ（【００８５】、【００８６】）と、
　を備え、
ｆ　前記演出制御装置３００は、
ｆ１　前記第１マスタＩＣ３５１、前記第２マスタＩＣ３５２を介して、遊技盤３０、前面枠１２にある装飾制御装置に装飾制御データを出力して、装飾ランプの点灯、モータの駆動制御、演出時間の管理などの処理を実行するＣＰＵ３１１（【０００２】、【００６５】）と、
ｆ２、ｆ３、ｉ　通信を開始したときにアドレスを中継基板（装飾制御装置）６７０に送信し、それらを中継基板（装飾制御装置）６７０を介してすべての他のスレーブに送信した後、次のデータのやりとりをする前記第１マスタＩＣ３５１（【００７９】、【００８０】）と、制御下にあるすべてのスレーブ機器に宛ててＩ２Ｃ通信を開始し、装飾制御装置５１４（Ｉ２Ｃ　Ｉ／Ｏエクスパンダ）が有するアドレスを送信した後、演出ボタン２５の操作信号を受信する前記第２マスタＩＣ３５２（【００９０】、【００９１】）と、
　を備え、
ｊ　役物駆動モータ駆動回路６２１とモータ位置検出センサ６２３とは、第１マスタＩＣ３５１のスレーブ機器ではなく（【００７９】）、役物駆動モータ駆動回路６２１は、ＣＰＵ３１１からバス３４０、出力インタフェース回路３７１、ドライバ３８１、中継基板６７０を介して送られる役物駆動モータのための情報を受け取り、モータ位置検出センサ６２３は、検出した信号を中継基板６７０、フィルタ３８３、入力インタフェース回路３７２、バス３４０を介してＣＰＵ３１１へ入力し（【００８１】）、また、照明駆動第１モータ駆動回路７２１及び照明駆動第１モータ駆動回路７２２には、ＣＰＵ３１１からの照明駆動に関する情報の出力がバス３４０、出力インタフェース回路３７１、ドライバ３８２、中継基板７７０を介して送られ、モータ位置検出センサ７２３からの検出信号は、中継基板７７０、フィルタ３８４、入力インタフェース回路３７２、バス３４０を介してＣＰＵ３１１へ入力し（【００８４】）、
ｋ　装飾制御データは、送信の途中においてデータの内容が損なわれたとしてもさほど問題が大きくないものである（【００７７】）
　　遊技機１０。」
（３）対比・判断　
ア　対比
　本願補正発明と引用発明とを対比する。なお、見出し（ａ）〜（ｉ）は、本願補正発明のＡ〜Ｉに対応させている。
　
（ａ）引用発明において、構成ａの「装飾装置基板６１１〜６１３」、「装飾装置６１８」、「装飾装置１８」及び「遊技者からの操作入力を受け付けるための操作スイッチを内蔵した演出ボタン２５」は、それぞれ、構成ｃの「遊技機１０」を構成する電気部品といえる。
　したがって、引用発明の「ａ、ｇ　装飾装置基板６１１〜６１３、装飾装置６１８、装飾装置１８及び遊技者からの操作入力を受け付けるための操作スイッチを内蔵した演出ボタン２５」は、本願補正発明の「Ａ　遊技機を構成する複数の電気部品」に相当する。
（ｂ）引用発明の「ｂ　遊技の状況に合わせて、各種ランプやＬＥＤ等で構成される前記装飾装置基板６１１〜６１３、前記装飾装置６１８、前記装飾装置１８を作動させ、遊技者が前記演出ボタン２５を操作することによって表示装置４１における変動表示ゲームにおいて遊技者の操作を介入させた演出等を行わせる演出制御装置３００」は、本願補正発明の「Ｂ　前記電気部品を利用して遊技機にて所定の動作を行わせる所定制御手段」に相当する。
（ｃ）引用発明の構成ｃの「遊技機１０」は、本願補正発明の構成Ｃの「遊技機」に相当する。
（ｄ）引用発明の構成ｄの「不正検出用の磁気センサスイッチ６１及び振動センサスイッチ６２」は、磁気や振動による異常事象の発生を検知するものといえるから、本願補正発明の「Ｄ　異常事象の発生を検知する異常検知手段」に相当する。
（ｅ）引用発明の「ｅ　第１マスタＩＣ３５１の制御下にあるスレーブであり遊技盤３０において前記装飾装置基板６１１〜６１３に対応させて設けられる中継基板（装飾制御装置）６７０を構成するＩ２Ｃ通信機能を有しスレーブアドレスを有するＩ２Ｃ　Ｉ／Ｏエクスパンダ」、「第１マスタＩＣ３５１の制御下にあるスレーブであり遊技盤３０において装飾装置６１８に対応させて設けられる装飾制御装置６１４を構成するＩ２Ｃ通信機能を有しスレーブアドレスを有するＩ２Ｃ　Ｉ／Ｏエクスパンダ」並びに「第２マスタＩＣ３５２の制御下にあるスレーブであり前面枠１２において装飾装置１８及び演出ボタン２５に対応させて設けられる装飾制御装置５１４を構成するＩ２Ｃ通信機能を有しスレーブアドレスを有するＩ２Ｃ　Ｉ／Ｏエクスパンダ」は、それぞれ、「装飾装置基板６１１〜６１３」、「装飾装置６１８」並びに「装飾装置１８及び演出ボタン２５」に対応させて設けられる通信手段といえる。
　また、引用発明の構成ｅ、ｈの各「スレーブアドレス」が固有のアドレスであることは、引用文献１の段落【００８８】のスレーブアドレスの設定に係る記載からも明らかな技術常識である。
　したがって、引用発明の「ｅ　第１マスタＩＣ３５１の制御下にあるスレーブであり遊技盤３０において前記装飾装置基板６１１〜６１３に対応させて設けられる中継基板（装飾制御装置）６７０を構成するＩ２Ｃ通信機能を有しスレーブアドレスを有するＩ２Ｃ　Ｉ／Ｏエクスパンダ、第１マスタＩＣ３５１の制御下にあるスレーブであり遊技盤３０において装飾装置６１８に対応させて設けられる装飾制御装置６１４を構成するＩ２Ｃ通信機能を有しスレーブアドレスを有するＩ２Ｃ　Ｉ／Ｏエクスパンダ並びに第２マスタＩＣ３５２の制御下にあるスレーブであり前面枠１２において装飾装置１８及び演出ボタン２５に対応させて設けられる装飾制御装置５１４を構成するＩ２Ｃ通信機能を有しスレーブアドレスを有するＩ２Ｃ　Ｉ／Ｏエクスパンダ」は、本願補正発明の「Ｅ　前記電気部品に対応させて設けられ、固有のアドレスを有する複数の通信手段」に相当する。
（ｆ１）引用発明において、構成ｆ１の「ＣＰＵ３１１」が「前記第１マスタＩＣ３５１、前記第２マスタＩＣ３５２を介して、遊技盤３０、前面枠１２にある装飾制御装置に装飾制御データを出力して、装飾ランプの点灯、モータの駆動制御、演出時間の管理などの処理を実行する」ためには、その「装飾制御データを出力」する前に、構成ａの「装飾装置基板６１１〜６１３」、「装飾装置６１８」、「装飾装置１８」及び「演出ボタン２５」のうちいずれを制御するかによって、「ｅ　第１マスタＩＣ３５１の制御下にあるスレーブであり遊技盤３０において前記装飾装置基板６１１〜６１３に対応させて設けられる中継基板（装飾制御装置）６７０を構成する通信機能を有しスレーブアドレスを有するＩ２Ｃ　Ｉ／Ｏエクスパンダ、前記第１マスタＩＣ３５１の制御下にあるスレーブであり遊技盤３０において装飾装置６１８に対応させて設けられる装飾制御装置６１４を構成するＩ２Ｃ通信機能を有しスレーブアドレスを有するＩ２Ｃ　Ｉ／Ｏエクスパンダ、並びに、第２マスタＩＣ３５２の制御下にあるスレーブであり前面枠１２において装飾装置１８及び演出ボタン２５に対応させて設けられる装飾制御装置５１４を構成するＩ２Ｃ通信機能を有しスレーブアドレスを有するＩ２Ｃ　Ｉ／Ｏエクスパンダ」に対応する、スレーブアドレスや装飾制御データを設定する必要があることは明らかである。
　したがって、引用発明の「ｆ　前記演出制御装置３００」が「備え」る「ｆ１　前記第１マスタＩＣ３５１、前記第２マスタＩＣ３５２を介して、遊技盤３０、前面枠１２にある装飾制御装置に装飾制御データを出力して、装飾ランプの点灯、モータの駆動制御、演出時間の管理などの処理を実行するＣＰＵ３１１」は、本願補正発明の「Ｆ　前記所定制御手段」が「備え」る「Ｆ１　前記複数の通信手段のうち通信対象となる通信手段に対応する所定データを設定する設定手段」に相当する。
（ｆ２）引用発明の構成ｆ２の「アドレス」を「送信する」ことは、上記（ｆ１）で検討した、ＣＰＵ３１１により設定されたスレーブアドレスに基づくことは明らかである。
　したがって、引用発明の「ｆ　前記演出制御装置３００」が「備え」る構成ｆ２、ｆ３、ｉの「通信を開始したときにアドレスを中継基板（装飾制御装置）６７０に送信し、それらを中継基板６７０を介してすべての他のスレーブに送信」「する前記第１マスタＩＣ３５１と、制御下にあるすべてのスレーブ機器に宛ててＩ２Ｃ通信を開始し、装飾制御装置５１４（Ｉ２Ｃ　Ｉ／Ｏエクスパンダ）が有するアドレスを送信」「する前記第２マスタＩＣ３５２」は、本願補正発明の「Ｆ　前記所定制御手段」が「備え」る「Ｆ２　当該設定手段により設定された所定データに基づき、前記複数の通信手段にアドレスデータを送信するアドレス送信手段」に相当する。
（ｆ３）引用発明の「ｆ　前記演出制御装置３００」が「備え」る構成ｆ２、ｆ３、ｉの「アドレスを」「送信した後、次のデータのやりとりをする前記第１マスタＩＣ３５１」と、「アドレスを送信した後、演出ボタン２５の操作信号を受信する前記第２マスタＩＣ３５２」は、本願補正発明の「Ｆ　前記所定制御手段」が「備え」る「Ｆ３　当該アドレス送信手段により前記アドレスデータが送信された後に、通信対象の通信手段に対応するデータの送信及び通信対象の通信手段からのデータの受信のうち少なくとも一方である送信後処理を実行する送信後手段」に相当する。
（ｇ）引用発明の構成ａ、ｇの「遊技者からの操作入力を受け付けるための操作スイッチを内蔵した演出ボタン２５」は、「ｄ　不正検出用の磁気センサスイッチ６１及び振動センサスイッチ６２」が検知する磁気や振動による異常事象とは異なる遊技者からの操作の発生を検知するものといえるから、本願補正発明の構成Ｇの「前記異常事象とは異なる所定事象の発生を検知する所定検知手段」に相当する。
（ｈ）引用発明の構成ｅ、ｈに、「演出ボタン２５に対応させて設けられＩ２Ｃ通信機能を有しスレーブアドレスを有する装飾制御装置５１４のＩ２Ｃ　Ｉ／Ｏエクスパンダ」が含まれていることは、本願補正発明の「Ｈ　前記複数の通信手段には、前記所定検知手段に対応させて設けられた所定通信手段が含まれて」いることに相当する。
（ｉ）引用発明の構成ｆ３、ｉの「前記第２マスタＩＣ３５２」が「アドレスを送信した後、演出ボタン２５の操作信号を受信する」ことは、本願補正発明の「Ｉ　前記送信後手段は、前記通信対象の通信手段が前記所定通信手段である場合、前記送信後処理として、前記所定検知手段の検知結果に対応するデータを前記所定通信手段から受信するための処理を実行する」ことに相当する。
　してみると、本願補正発明と引用発明とは、
「Ａ　遊技機を構成する複数の電気部品と、
Ｂ　前記電気部品を利用して遊技機にて所定の動作を行わせる所定制御手段と、
Ｃ　を備えた遊技機において、
Ｄ　異常事象の発生を検知する異常検知手段と、
Ｅ　前記電気部品に対応させて設けられ、固有のアドレスを有する複数の通信手段と、
　を備え、
Ｆ　前記所定制御手段は、
Ｆ１　前記複数の通信手段のうち通信対象となる通信手段に対応する所定データを設定する設定手段と、
Ｆ２　当該設定手段により設定された所定データに基づき、前記複数の通信手段にアドレスデータを送信するアドレス送信手段と、
Ｆ３　当該アドレス送信手段により前記アドレスデータが送信された後に、通信対象の通信手段に対応するデータの送信及び通信対象の通信手段からのデータの受信のうち少なくとも一方である送信後処理を実行する送信後手段と、
　を備え、
Ｇ　前記複数の電気部品には、前記異常事象とは異なる所定事象の発生を検知する所定検知手段が含まれており、
Ｈ　前記複数の通信手段には、前記所定検知手段に対応させて設けられた所定通信手段が含まれており、
Ｉ　前記送信後手段は、前記通信対象の通信手段が前記所定通信手段である場合、前記送信後処理として、前記所定検知手段の検知結果に対応するデータを前記所定通信手段から受信するための処理を実行するものである
　遊技機。」
である点で一致し、次の点で相違する。
（相違点）
　本願補正発明では「Ｊ　前記異常検知手段の検知信号は、プログラムを利用した処理を実行する他の制御手段を介することなく前記所定制御手段に入力される構成であり、Ｋ　前記異常検知手段の検知信号は、前記複数の通信手段と前記所定制御手段との間の通信経路とは別の通信経路であって前記異常検知手段の検知信号以外の信号が送信されない通信経路を通じて前記所定制御手段に入力される」のに対し、引用発明ではそのようなものではない点。
イ　判断
（相違点について）
　引用発明の構成ｄにおいて、「不正検出用の磁気センサスイッチ６１及び振動センサスイッチ６２」の「信号」は「遊技制御装置１００」に「取り込まれる」ものであるが、遊技機においてそれらを演出制御装置に取り込むことは、例えば、
（ア）原査定時に周知技術として引用された本願の出願前に頒布された又は電気通信回線を通じて公衆に利用可能となった文献である特開２００８−２５３６６９号公報（以下「引用文献２」という。下線は当審で付した。）
「【０００１】
　本発明は、たとえば、
パチンコ遊技機
「【００８１】
　また、第１特別可変入賞球装置６６内には、磁気を検出するための磁気センサが搭載されている。磁気センサは、リードスイッチにより構成されている。第１磁気センサ１９５ａは、その下方の開口部８２付近に磁石などが近づけられたことを検出可能な位置に設けられている。
第１磁気センサ１９５ａにより、たとえば磁石などを用いて開口部８２から遊技球を入賞させようとするなどの不正行為が行なわれると、異常磁気の存在を検出し検出信号を出力する
【００８２】
　また、第２磁気センサ１９５ｂは、第１特定進入口８９付近に磁石などが近づけられたことを検出可能な位置に設けられている。
第２磁気センサ１９５ｂにより、たとえば磁石などを用いて第１特定進入口８９に遊技球を進入させようとするなどの不正行為が行なわれると、異常磁気の存在を検出し検出信号を出力する
【００８３】
　また、第３磁気センサ１９５ｃは、第２領域８８付近に磁石などが近づけられたことを検出可能な位置に設けられている。
第３磁気センサ１９５ｃにより、たとえば磁石などを用いて第２領域８８に設けられている第２特定進入口９１に遊技球を進入させようとするなどの不正行為が行なわれると、異常磁気の存在を検出し検出信号を出力する
「【０１２７】
　演出制御基板９０には、振動センサ１１９、第１磁気センサ１９５ａ、第２磁気センサ１９５ｂ、および第３磁気センサ１９５ｃからの検出信号が入力される。
振動センサ１１９は、振動を検出すると演出制御基板９０に検出信号を入力する
第１磁気センサ１９５ａ、第２磁気センサ１９５ｂ、および第３磁気センサ１９５ｃは、磁気を検出すると演出制御基板９０に検出信号を入力する
（イ）原査定時に周知技術として引用された本願の出願前に頒布された又は電気通信回線を通じて公衆に利用可能となった文献である特開２００８−１８８１５６号公報（以下「引用文献３」という。下線は当審で付した。）　
「【００３４】
　本実施例の
パチンコ機
不正行為を検知するために、遊技盤面の磁気変化を検知するための四つの磁気センサ２０ａ〜２０ｄと、パチンコ機の振動を検知するための一つの振動センサ２１を備えている
大入賞口１０や始動入賞口９ａ〜９ｃに磁石を近づけるなどの行為が行われ、磁気センサ２０ａ〜２０ｄが所定閾値以上の磁気を検知した場合には、磁気センサ２０ａ〜２０ｄから演出制御基板３１に検知信号が送信される
パチンコ機を叩くなどの行為が行われ、振動センサ２１が所定閾値以上の振動を検知した場合には、振動センサ２１から演出制御基板３１に検知信号が送信される
に記載されているように周知技術である。
　そして、引用発明において、遊技制御装置１００における処理の負荷を軽減するために、上記周知技術を採用して、引用発明の構成ｄの「不正検出用の磁気センサスイッチ６１及び振動センサスイッチ６２」の「信号」の「取り込」みを「遊技制御装置１００」に代えて「演出制御装置３００」とすることに格別の困難性はなく、その際に、構成ｆ１の「装飾制御データ」のようにマスタＩＣの制御下に置くか、構成ｊの「役物駆動モータ駆動回路６２１」、「モータ位置検出センサ６２３」、「照明駆動第１モータ駆動回路７２１」、「照明駆動第１モータ駆動回路７２２」及び「モータ位置検出センサ７２３」のように、マスタＩＣを介さずにＣＰＵ３１１に接続するかは、Ｉ２Ｃ通信による信号線の削減のメリットと複数のスレーブによる通信能力低下のデメリットを勘案して当業者が適宜選択し得る設計的事項に過ぎず、引用発明の構成ｋの「送信の途中においてデータの内容が損なわれたとしてもさほど問題が大きくない」「装飾制御データ」に対して、データ内容の重要度が高い「不正検出用の磁気センサスイッチ６１及び振動センサスイッチ６２」の「信号」を、マスタＩＣに接続される他のスレーブ機器の影響により通信能力が低下して遅延や脱漏が生じることのないように、直接ＣＰＵ３１１に接続して相違点に係る本願補正発明の構成とすることは、当業者が容易になし得たものである。
　したがって、本願補正発明は、引用発明及び周知技術に基づいて、当業者が容易に発明をすることができたものであるから、特許法第２９条第２項の規定により、特許出願の際独立して特許を受けることができないものである。
（４）請求人の主張について
　請求人は、審判請求書において、
・引用文献１には、遊技を管理する遊技制御装置１００と、演出の実行を制御するためにＩ２Ｃ通信を行う演出制御装置３００とを備えた構成において、磁気センサスイッチ６１及び振動センサスイッチ６２の検知信号が遊技制御装置１００に入力される構成は記載されているものの、「所定検知手段からの検知信号については、アドレスにより識別される通信手段を介して所定制御手段に入力されるようにする一方、異常検知手段からの検知信号については、複数の通信手段と所定制御手段との間の通信経路とは別の通信経路であって異常検知手段の検知信号以外の信号が送信されない通信経路を通じて所定制御手段にて入力されるようにする」という相違点に係る構成は記載も示唆もされていない、
・また、引用文献１には、プログラムを利用した処理を実行する他の制御手段を介することなく所定制御手段に対して検知信号を出力する異常検知手段を備えた構成において、通信経路の数を抑える構成を当該異常検知手段に対してもそのまま適用してしまうと、所定制御手段における異常事象の発生の特定が遅れてしまうおそれがあるという、更なる課題も記載も示唆もされていない、　
・また、引用文献２には振動センサ１１９、第１磁気センサ１９５ａ、第２磁気センサ１９５ｂ及び第３磁気センサ１９５ｃからの検出信号が演出制御基板９０に入力される構成が記載されており、引用文献３には磁気センサ２０ａ〜２０ｄ及び振動センサ２１が演出制御基板３１に接続されている構成が記載されているが、引用文献２において演出制御基板９０が「アドレスにより識別される通信手段を介してデータの出力又は入力」を行う構成となっているか否かは不明であり、引用文献３において演出制御基板３１が「アドレスにより識別される通信手段を介してデータの出力又は入力」を行う構成となっているか否かは不明であって、つまり、引用文献２及び３には、「所定検知手段からの検知信号については、アドレスにより識別される通信手段を介して所定制御手段に入力されるようにする一方、異常検知手段からの検知信号については、複数の通信手段と所定制御手段との間の通信経路とは別の通信経路であって異常検知手段の検知信号以外の信号が送信されない通信経路を通じて所定制御手段にて入力されるようにする」という上記相違点に係る構成は記載も示唆もされておらず、したがって、上記相違点に係る構成が周知技術であるとする客観的な根拠は存在していないと言わざるを得ず、また、引用文献２及び３には上記更なる課題も記載も示唆もされておらず、したがって、上記更なる課題が周知の課題であるとする客観的な根拠も存在していない、　
・そうすると、引用文献１に接した当業者が何等かの動機付けによって引用文献１に記載された発明に対して、引用文献２及び３にて例示されるような周知技術を適用したとしても、Ｉ２Ｃ通信の対象として磁気センサや振動センサを含めるようにする程度の構成が当業者にって導出可能な構成であり、「所定検知手段からの検知信号については、アドレスにより識別される通信手段を介して所定制御手段に入力されるようにする一方、異常検知手段からの検知信号については、複数の通信手段と所定制御手段との間の通信経路とは別の通信経路であって異常検知手段の検知信号以外の信号が送信されない通信経路を通じて所定制御手段にて入力されるようにする」という上記相違点に係る構成を導出することは不可能である　
旨主張する。
　しかしながら、上記（３）イで検討したとおり、引用発明において、遊技制御装置１００における処理の負荷を軽減するために、周知技術を採用して、引用発明の構成ｄの「不正検出用の磁気センサスイッチ６１及び振動センサスイッチ６２」の「信号」の「取り込」みを「遊技制御装置１００」に代えて「演出制御装置３００」とすることに格別の困難性はなく、その際に、構成ｆ１の「装飾制御データ」のようにマスタＩＣの制御下に置くか、構成ｊの「役物駆動モータ駆動回路６２１」、「モータ位置検出センサ６２３」、「照明駆動第１モータ駆動回路７２１」、「照明駆動第１モータ駆動回路７２２」及び「モータ位置検出センサ７２３」のように、マスタＩＣを介さずにＣＰＵ３１１に接続するかは、Ｉ２Ｃ通信による信号線の削減のメリットと複数のスレーブによる通信能力低下のデメリットを勘案して当業者が適宜選択し得る設計的事項に過ぎず、引用発明の構成ｋの「送信の途中においてデータの内容が損なわれたとしてもさほど問題が大きくない」「装飾制御データ」に対して、データ内容の重要度が高い「不正検出用の磁気センサスイッチ６１及び振動センサスイッチ６２」の「信号」を、マスタＩＣに接続される他のスレーブ機器の影響により通信能力が低下して遅延や脱漏が生じることのないように、直接ＣＰＵ３１１に接続して相違点に係る本願補正発明の構成とすることは、当業者が容易になし得たものである。
　したがって、請求人の主張は採用することができない。
（５）本件補正についてのむすび　
　以上より、本件補正は、特許法第１７条の２第６項において準用する同法第１２６条第７項の規定に違反するので、同法第１５９条第１項において読み替えて準用する同法第５３条第１項の規定により却下すべきものである。
　よって、上記補正の却下の決定の結論のとおり決定する。
第３　本願発明について
１　本願発明　
　本件補正は、上記のとおり却下されたので、本願の請求項に係る発明は、平成３０年１月１２日に提出された手続補正書により補正された特許請求の範囲の請求項１ないし２に記載された事項により特定されるものであるところ、その請求項１に係る発明（以下「本願発明」という。）は、前記第２［理由］１の（本件補正前）に記載のとおりのものである。
２　原査定の拒絶理由
　原査定の請求項１に係る発明の拒絶の理由は、
（新規性）この出願の請求項１に係る発明は、その出願前に電気通信回線を通じて公衆に利用可能となった以下の引用例に記載された発明であるから、特許法第２９条第１項第３号に該当し、特許を受けることができない、
（進歩性）この出願の請求項１に係る発明は、その出願前に電気通信回線を通じて公衆に利用可能となった以下の引用例に記載された発明に基づいて、その出願前にその発明の属する技術の分野における通常の知識を有する者が容易に発明をすることができたものであるから，特許法第２９条第２項の規定により特許を受けることができない、
　特開２０１３−１２８５４６号公報（引用文献１）
というものである。
３　引用文献　
　原査定の拒絶の理由で引用された引用文献１の記載事項は、前記第２［理由］２（２）に記載したとおりである。
４　対比・判断　
　本願発明は、前記第２の［理由］２で検討した本願補正発明から、「複数の電機部品」に係る限定事項Ｇ、「複数の通信手段」にかかる限定事項Ｈ、「送信後手段」に係る限定事項Ｉを削除したものである。
　そうすると、本願発明の発明特定事項を全て含み、さらに限定事項を付加したものに相当する本願補正発明が前記第２［理由］２（３）に記載したとおり、引用発明及び周知技術に基づいて当業者が容易に発明をすることができたものであるから、本願発明も引用発明及び周知技術に基づいて当業者が容易に発明をすることができたものである。
第４　むすび
　以上のとおり、本願発明は、特許法第２９条第２項の規定により特許を受けることができないから、他の請求項に係る発明について検討するまでもなく、本願は拒絶されるべきものである。
　よって、結論のとおり審決する。